(57)【特許請求の範囲】
【請求項１】
電話回線に接続される親機と、この親機に対して無線回線を介して接続されかつ保留機能を有する子機とを備え、
前記親機は、前記子機が低電界領域にいても、該子機の無線回線が維持された保留中は、回線捕捉状態を継続するように制御する制御手段を有し、
前記子機は、該子機の無線回線が維持された保留中に、低電界領域に入ったときに警告する警告手段を有した、ことを特徴とするコードレス電話機。
【請求項２】
請求項１記載のコードレス電話機において、
前記親機の電話回線および前記子機の無線回線がともに維持された保留状態で、前記子機が低電界領域に入ったときには、該子機の保留状態を解除することを特徴とするコードレス電話機。
【請求項３】
請求項２記載のコードレス電話機において、
前記子機が保留状態を解除したときには、前記親機は保留状態を継続することを特徴とするコードレス電話機。
【発明の詳細な説明】
【０００１】
【発明の属する技術分野】
本発明は、電話回線に接続された親機と、この親機に対して無線接続されかつ保留機能を有する子機とからなるコードレス電話機に関する。
【０００２】
【従来の技術】
電話局交換機に直接接続されている電話機としての親機とこの親機に対して無線で接続された電話機としての子機とからなるコードレス電話機は一般家庭内で近年多用されるようになってきている。また、このようなコードレス電話機においては親機、子機共に保留機能が付いているのが一般的となっている。
【０００３】
【発明が解決しようとする課題】
このようなコードレス電話機においては、電話局交換機を介して親機にかかってきた相手側からの電話を利用者が子機でもって通話している場合に、利用者が子機を持って親機が設置されている部屋とは別の部屋などに入るなどして子機の位置が親機との無線交信のための電波が弱くなる低電界領域いわゆる圏外になってしまう。そして、この種の電話機では一般にそのまま親機を介して相手側と通話を継続したときには親機側では通話を放棄したとみなし電話回線を切り相手側との通話を終了させてしまうように機能している。この場合、利用者は低電界領域に入ると、子機からの雑音が増えてきたりして通話が切れてしまうことが予測できる。
【０００４】
しかしながら、このような予測も子機に耳をあてていたりしていることでその雑音が聴取されることで可能となるから、コードレス電話機で保留機能を有する場合において利用者が保留操作をした場合ではその保留の使用態様として利用者が子機から耳から離している場合が多い。そのため、子機が親機との間での交信領域が低電界領域に入っても利用者は子機から雑音を聞くことができないから、子機が低電界領域に入っているかどうかが不明であり、保留を解除して相手側と通話を再開しようとした場合に既に電話回線が切れていて通話終了とされてしまっているという結果を生む。そうすると、利用者にとっては不快であるし、また通話する相手側にも不快感を与えてしまうことになるという課題がある。
【０００５】
この場合、低電界交信で通話が終了状態にされることを警告するような機能を付加させることが考えられるものの、保留中では利用者は、やはり子機を耳から離していると思われるため、その警告は利用者には聞こえないから、警告は無意味になるという課題があった。
【０００６】
【課題を解決するための手段】
本発明のコードレス電話機においては、電話回線に接続される親機と、この親機に対して無線回線を介して接続されかつ保留機能を有する子機とを備え、前記親機は、前記子機が低電界領域にいても、該子機の無線回線が維持された保留中は、回線捕捉状態を継続するように制御する制御手段を有し、前記子機は、該子機の無線回線が維持された保留中に、低電界領域に入ったときに警告する警告手段を有したことを特徴とする構成によって上述した課題を解決している。
【０００７】
【発明の実施の形態】
以下、本発明の実施の形態に係るコードレス電話機について図面を参照して詳細に説明する。
【０００８】
図１は前記電話機の構成を示すブロック図であり、同図を参照して、この電話機は親機１と、この親機１に対して無線接続される子機２からなる。親機１は、電話局交換機の入出力インターフェースを行う回線インターフェース部３と、回線インターフェース部３との間で相手側との通話のための入出力と子機２との無線交信による入出力とを行う無線部４と、子機２と無線交信する無線部４からの出力により子機２が低電界領域にあることを検出する低電界検出部５と、親機１全体を制御するマイクロコンピュータからなる制御部６とから構成されている。制御部６はソフトウエアによる保留コントロール回路７と、低電界検出部５からの検出出力の入力に応答して無線部４を介して子機２に低電界検出データを送信制御する低電界データ送出回路８とを具備している。
【０００９】
子機２は、親機１との無線部交信を行う無線部９と、通話を行うための送受話回路１０と、親機１側からの受話音を発する発音体としての通話用スピーカ１１と、子機２側からの利用者の送話音をピックアップして送受話回路１０に出力するマイクロホン１２と、子機２全体を制御するマイクロコンピュータからなる制御部１３と、制御部１３出力に応答する警告駆動回路１４と、警告駆動回路１４出力に応答して発音体として大きな警告音を発するための警告用スピーカ１５から構成されている。制御部１３にはソフトウエアによる親機無線部４と子機無線部９の無線データを監視する交信データ監視回路１６と、子機２の保留モードをコントロールする保留コントロール回路１７とを具備している。
【００１０】
図２および図３を参照して動作を説明する。図２は親機１の動作の説明に供するフローチャートであり、図３は子機２の動作の説明に供するフローチャートである。このフローチャートにおいて、図２のステップＮ１で保留ＯＮの場合のそれ以降のフローは、図３のステップＳ１で保留ＯＮの場合のそれ以降のフローに対応し，図２のステップＮ１で保留ＯＦＦの場合のそれ以降のフローは図３の保留ＯＦＦの場合のそれ以降のフローに対応している。
【００１１】
親機１の動作を図２を参照して説明する。
【００１２】
回線インターフェース部３を介して相手側との通話を開始する。ステップＮ１で、制御部６は親機１が保留されている保留ＯＮの状態であるか、あるいは保留されていない保留ＯＦＦの状態であるかの判断をする。
【００１３】
制御部６は、保留ＯＮであるとの判断をすれば、ステップＮ２で低電界検出部５から子機２が低電界領域にあるとする検出出力を与えられると、ステップＮ３で制御部６は低電界検出データを回路８で生成して無線部４を介して子機２に送信制御するとともに、ステップＮ４で子機２の保留を解除させるための保留ＯＦＦデータを回路７で生成して無線部４を介して子機２に送信制御する。ここで、子機２に保留ＯＦＦデータを送信するのは、子機２がこのとき保留ＯＮの状態であり、送信されてきた保留ＯＦＦのデータに応答させて子機２を保留解除にさせることで、子機２の通話用スピーカ１１からの低電界領域に入っていることによる雑音で利用者にそのことを警告させるためである。このステップＮ４は後述するステップＳ５における子機２側での保留ＯＦＦデータ受信と，ステップＳ６の子機２の保留解除と共に請求項２に対応している。この場合、ステップＮ６で親機１も保留解除にしておく。
【００１４】
この場合、親機１をステップＮ６のように子機２が低電界領域に入ったことで子機２のみならず親機１まで保留解除せずに、ステップＮ５のように親機１は保留ＯＮを継続にしてもよい。そうすると、ステップＮ４に対応するステップＳ５，Ｓ６で子機２が保留解除されて利用者は子機２からの雑音で子機２が低電界領域に入ったことが分かることで利用者は電界が復帰できて通話できる領域にまで移動できる一方で、通話相手側は親機１がステップＮ５で保留継続されるので子機２の保留解除による雑音が聞こえないから相手側に不快感を与えずに済む。つまり、利用者は通話の相手側に不快感を与えずに通話を円滑にできる。このステップＮ５が請求項３に対応している。
【００１５】
ステップＮ１で親機１が保留ＯＦＦであると制御部６が判断した場合では、ステップＮ７で制御部６は前記と同様に子機２が低電界領域に入っていることを検出すると、ステップＮ８でその検出した低電界検出データを子機２に送信したうえで、ステップＮ９で親機１を保留ＯＮにする。このステップＮ９で親機１を保留状態にするのは、後述のステップＳ１で子機２が保留ＯＦＦであるので、親機１を保留ＯＮにするのみならず、子機２もステップＳ７，Ｓ８で保留ＯＮにして、通話中に低電界領域に入ったことによる雑音で利用者のみならず、通話相手側に対しても同様の不快感を与えることのないようにするためである。この場合も利用者は通話できる領域にまで移動するなどして通話を円滑にできる。
【００１６】
次に子機２の動作を図３のフローチャートを参照して説明する。
【００１７】
通話を開始してステップＳ１で、制御部１３は保留ＯＮであるか保留ＯＦＦであるかを判断する。
【００１８】
制御部１３は保留ＯＮであると判断すると、ステップＳ２で親機１からステップＮ３により送信されてきた低電界検出データを受信すると、子機２が低電界領域に入っていると判断し、ステップＳ３で警告音駆動回路１４を介して警告用スピーカ１５を駆動制御することでステップＳ４で利用者に子機２が低電界領域に入ったことを警告する。ここで、警告用スピーカ１５で警告するのは、子機２が保留中であれば、子機２の利用者が通話用スピーカ７からは耳を離していて子機２の利用者は低電界領域に入ったことが不明であり、そのため通話用スピーカ７よりも例えば大きな警告音で子機２の利用者に警告できるようにするためである。このステップＳ３，Ｓ４が請求項１に対応している。このステップＳ３，Ｓ４と同時にあるいはこれとは別に、ステップＳ５で親機１からのステップＮ４により送信されてきた保留ＯＦＦデータを受信して、ステップＳ６で保留を解除させる。そうすると、子機２では保留中であっても、低電界領域に入ると、ステップＳ６で保留が解除され、子機２の利用者は通話用スピーカ７からの雑音で低電界領域に入ったことが警告される。このステップＳ５，Ｓ６が前述したようにステップＮ４と共に請求項２に対応している。いずれにしても、子機２の利用者はその警告でもって親機１に対して受信できる電界領域に行くことで相手側と通話ができる。
【００１９】
また、ステップＳ１で制御部１３は保留ＯＦＦであると判断すると、ステップＳ７で親機１からのステップＮ８で送信されてきた低電界検出データを受信すると、ステップＳ８で子機２を保留ＯＮにする。このステップＳ８で保留ＯＮにするのは、保留ＯＮにして通話を終了させないようにして親機１と子機２との間での無線交信を継続できるようにしている。
【００２０】
そして、ステップＳ９はステップＳ１で保留ＯＮの場合とステップＳ８で保留ＯＮの場合のいずれの場合においても、子機２での電界強度とは関係なく保留を継続させることで通話が終了しないようにする。このステップＳ９が請求項１に対応している。これによって、従来の電話機では、子機２が低電界領域に入ると通話不能ということで親機１が相手側との電話回線を切り通話を終了させていたが、本発明では子機２が保留中の場合では親機１は相手側との電話回線を切らないから、子機２の利用者が低電界領域から電界の強い領域に行くことで相手側と通話ができるようになる。
【００２１】
なお、図２のステップＮ１０は子機２が低電界領域外に出て電界復帰したときは、ステップＮ１１で電界復帰データを子機２に送信し、ステップＮ１２で通話の継続ができ、また、図３のステップＳ１０は親機１からの電界復帰データを受信すると、ステップＳ１１で通話の継続ができることを示している。
【００２２】
なお、上述の実施の形態においては、警告手段として子機２に発音体であるスピーカを設けたが、スピーカではなくブザーのような発音体を設けてもよく、あるいは、このような発音体ではなく、発光ダイオードのような発光素子による発光点滅による警告手段であっても構わない。この発光による場合では、通話の邪魔にならないし、雑音との区別もつくうえ、スピーカとかブザーのような高価ではないからコスト的にも安価に構成できる。また、複数の発光ダイオードのような発光素子とか発光ランプなどの発光体を配備し、それぞれの発光体を駆動するための警告駆動回路を複数設け、制御部１３からは子機周囲での送受信のための電界の強度に応じてそれぞれの警告駆動回路を駆動して発光色を緑色、黄色、赤色と変化させると、利用者は通話不能となる低電界領域に対して子機がどの位置にあるかの目安となり、電話機の使用上の便利性が高まる。あるいは、同一色であっても電界強度レベル計のように構成し、その電界レベルに応じて棒グラフ状に発光させてもよい。
【００２３】
なお、上述の実施の形態においては、親機１に低電界検出部５を設け、子機２側からの受信データから低電界の検出を行うようにしているが、子機２にも低電界検出部を設け、子機２側だけ、あるいは親機１と子機２いずれの側でも低電界の検出を行うようにしても構わない。このようにした場合では、親機１から子機２に低電界検出データを送信する必要がなくなるので、子機２側での対応処理速度の向上が可能となる。
【００２４】
なお、上述の実施の形態においては、１台の親機１に対して子機２が１台であったが、この親機１に対して複数の子機２を設け、それぞれの子機２と親機１との間で上述の動作を行うものであっても構わない。
【００２５】
【発明の効果】
以上のように本発明によれば、親機と、この親機に対して無線接続されかつ保留機能を有する子機とを有し、前記親機は、前記子機が低電界領域にいても該子機が保留中は回線捕捉状態を継続するように制御することから、従来のように子機が低電界領域に入ると通話が切れてしまうことがなくなる。したがって、子機の利用者は保留操作をして親機から低電界領域にまで離れてしまっている場合でも通話が切れず、相手側との通話が再開できることになり、コードレス電話機としての利用価値が大いに高まる。
【００２６】
前記本発明において、前記子機にはその保留中に低電界領域に入ったときに警告する警告手段を設けた場合においては、子機の利用者は保留中に子機から耳を離していても、子機が低電界領域に入ったことが分かり、相手側と通話を再開するうえで使用上の便利性が高まる。
【００２７】
前記本発明において、保留中の前記子機が低電界領域に入ったときには該保留を解除するようにした場合においては、子機の利用者はその保留の解除による子機から聞こえてくる雑音などで子機が低電界領域に入ったことが分かり、相手側と通話するうえでの便利性が高まる。
【００２８】
前記本発明において、前記子機が保留解除したときには、前記親機は保留を継続するようにした場合においては、子機の保留解除による雑音が相手側に聞こえないようにでき、相手側に不快感を与えずに済む。
【００２９】
前記本発明において、回線捕捉中に前記子機が低電界領域に入ったときは、前記親機と子機とを共に保留状態にするようにした場合においては、保留中でない場合に低電界領域に子機が入っても相手側との通話が終了することがなくなり、コードレス電話機の利用上の便利性が高まる。
【図面の簡単な説明】
【図１】本発明の実施の形態に係るコードレス電話機のブロック回路図。
【図２】本発明の電話機における親機の動作説明に供するフローチャート。
【図３】本発明の電話機における子機の動作説明に供するフローチャート。
【符号の説明】
１  親機
２  子機
３  回線インターフェイス部
４  無線部
５  低電界検出部
６  制御部
７  保留コントロール回路
８  低電界データ送出回路
９  無線部
１０  送受話回路
１１  通話スピーカ
１２  通話マイクロホン
１３  制御部
１４  警告音駆動回路
１５  警告スピーカ
１６  交信データ監視回路
１７  保留コントロール回路
【図１】
0003681019.tif 000002
【図２】
0003681019.tif 000003
【図３】
0003681019.tif 000004